(57)【要約】      （修正有）【課題】キーパッド保護部材を有するテレビ用遠隔操作機を提供する。【解決手段】一対の上側シェル１２及び下側シェル１３によって構成され、上側シェルの上に複数の異なる種類のスロット１４が設けられた、長く延びてほぼ平坦なハウジング１１と、上側シェルの複数の異なる種類のスロットによって収納されている異なるサイズの押しボタン１５を有するキーパッド１６と、を備えている。ハウジングは、ハウジングの裏側部分に配置された平坦な矩形の支持部１８によって構成されたキーパッド保護部材１７と、矩形の支持部の後側端から外側に延びる一対の互いに対向する立ち上がり部材２２と、矩形支持部の前側に設けられた保護ブロック２０と、をさらに有している。保護ブロックは、面取りされた角部を有しており、それによりもしも遠隔操作機が上下反対になって横に置かれた姿勢の場合は遠隔操作機が横に置かれた姿勢で転がるようになっている。【選択図】図１
0003199552.tif 000002
【実用新案登録請求の範囲】
【請求項１】
一対の上側シェル及び下側シェルによって構成され、前記上側シェルの上に複数の異なる種類のスロットが設けられた、長く延びてほぼ平坦なハウジングと、
前記上側シェルの複数の異なる種類のスロットによって収納されている異なるサイズの押しボタンを有するキーパッドと、
前記キーパッドは、チャンネルを変更すること及び異なる種類の番組活動を設定するためのものであり、例えば、オン／オフボタン、無音ボタン又はメニューオプションに入るためのものであり、
前記ハウジングは、
前記ハウジングの裏側部分に配置された平坦な矩形の支持部によって構成されたキーパッド保護部材と、
前記矩形の支持部の後側端から外側に延びる一対の互いに対向する立ち上がり部材と、
前記矩形支持部の前側に設けられた保護ブロックと、をさらに有し、
前記保護ブロックは、面取りされた角部を有しており、それによりもしも前記遠隔操作機が上下反対になって横に置かれた姿勢の場合は前記遠隔操作機が横に置かれた姿勢で転がる手段を提供するようになっていることを特徴とする、
キーパッド保護部材を有するテレビ、ビデオ録画機／再生機、空調機など用遠隔操作機。
【請求項２】
請求項１に記載のテレビ、ビデオ録画機／再生機、空調機など用キーパッド保護部材。
【考案の詳細な説明】
【技術分野】
【０００１】
本実用新案は、一般に、テレビ、ビデオ録画機／再生機などの電子機器の操作に用いられる遠隔操作装置に関し、特に、ハウジングに一体のキーパッド保護部材を有する遠隔操作機に関する。このキーパッド保護部材は、キーパッドにあるボタンが偶然に押されることを防止するために設けられている。ボタンが偶然に押されると、現在見られているチャネルが突然変更されたり、音量が急激に増加／減少したり、若しくは突然押されたときに他の機能を起こしたり、ユーザが観ているテレビ番組が他のチャンネルに切り換えられてユーザはある場面を見過ごしたり、又はテレビの設定が変更されたり削除されたりする可能性がある。
【背景技術】
【０００２】
テレビ用の遠隔操作ユニットは、テレビ及びビデオ録画／再生機の全ての操作などを操作するのに用いられる。このユニットは、全国的に使用可能であり、かつ、現在市場に出回っているテレビの大半のためにプログラム可能に製造されている。操作は、赤外線信号を制御ユニットからテレビ、ビデオ録画機／再生機などに設けられた赤外線受信機に送信することで行われる。遠隔操作は、チャンネル、ボリューム操作、オン／オフ制御及び今日異なるテレビに備えられている多くの機能を変更するのに用いられる。これらの遠隔操作ユニットには、通常、テレビ、ビデオ録画機／再生機などのチャンネルを変更する又はボリュームを調整するための押しボタン選択スイッチが設けられている。多くの場合、特に視聴者があるテレビ番組を観ている場合、ほとんどの場合に遠隔操作機は、視聴者も座ったり寝転がったりしているソファ、ベッド等の上に上下反対で横になって置かれている。そして、テレビで重大なシーンを観ているときに、時おり、視聴者は遠隔操作機が通常置かれている枕を動かして偶然に押さえつけてしまう。これにより、実際には、キーパッドが押され、特にチャンネルボタンが押されることで重大なシーンの途中でチャンネルが突然変更される結果になる。ほとんど場合、これが生じると、視聴者は直ちに遠隔操作機を探そうとする。そして、視聴者がそれを見つけて、自分が観ていた重大なシーンに戻ると、その重大なシーンはすでに終了している。
【考案の概要】
【考案が解決しようとする課題】
【０００３】
したがって、本実用新案の主要な目的は、キーパッド保護部材を有するテレビ用遠隔操作機を提供することである。これにより、キーパッドのボタンが突然押されて、それにより視聴者があるテレビ番組を観ているときにチャンネルが突然変更されることが防止される。
本実用新案の他の目的は、テレビ、ビデオ再生機、空調機などに用いられる遠隔操作機を提供することである。この遠隔操作機は、キーパッド保護部材を有している。キーパッド保護部材は、遠隔操作機のハウジングの両端に配置された一対の垂直突起によって構成されている。
本実用新案のさらに他の目的は、簡単かつ通常の装置を用いて製造が容易であるキーパッド保護部材を有する、テレビ用遠隔操作機を提供することである。
【課題を解決するための手段】
【０００４】
本発明の一見地に係るキーパッド保護部材を有するテレビ、ビデオ録画機／再生機、空調機など用遠隔操作機は、
一対の上側シェル及び下側シェルによって構成され、上側シェルの上に複数の異なる種類のスロットが設けられた、長く延びてほぼ平坦なハウジングと、
上側シェルの複数の異なる種類のスロットによって収納されている異なるサイズの押しボタンを有するキーパッドと、を備えている。
キーパッドは、チャンネル切替及び例えばオンオフボタン、消音ボタン、又はメニューオプションにアクセスするための異なる種類のプログラム動作を設定するためのものであり、
ハウジングは、
ハウジングの裏側部分に配置された平坦な矩形の支持部によって構成されたキーパッド保護部材と、
矩形の支持部の後側端から外側に延びる一対の互いに対向する立ち上がり部材と、
矩形の支持部の前側に設けられた保護ブロックと、をさらに有している。
保護ブロックは、面取りされた角部を有しており、それによりもしも遠隔操作機が上下反対で横に置かれた姿勢の場合は遠隔操作機が横たわった姿勢で転がる手段を提供するようになっている。
これら及び他の目的、及び有利な点は、添付の図面と共に詳細な説明を読むことによって提示されかつ理解されるであろう。
【図面の簡単な説明】
【０００５】
【図１】本実用新案に係るテレビ、ビデオ録画機／再生機、空調機など用遠隔操作機の斜視図。
【図２】遠隔操作機の底側斜視図。
【図３】遠隔操作機の側面図。
【考案を実施するための形態】
【０００６】
図面のいくつかの図を参照することで、全体にわたって、同じような参照数字が同じ部分を示している。図示されているのは、テレビ、ビデオ録画機／再生機用遠隔操作機などに関する実用新案であり、全般的には参照数字１０によって示されている。
【０００７】
前述の遠隔操作機１０は、一対の上側及び下側シェル１２及び１３によって構成されている長く延び概ねフラットなハウジング１１（破線で示されている）によって構成されている。上側シェル１２には、キーパッド１６の異なるサイズの押しボタン１５を収容するための複数の異なる種類のスロット１４が設けられている。押しボタン１５は、チャンネルを変更すること及び異なる種類の番組活動を設定するためのものであり、例えば、オン／オフボタン、無音ボタン又はメニューオプションに入るためのボタンである。
【０００８】
本実用新案の新たな特徴は、キーパッド保護部材１７である。キーパッド保護部材１７は、遠隔操作機ハウジング１１の裏側部分に設けられた、平坦かつ矩形の支持部１８を有している。図に示すように、矩形支持部１８の前側部分１９には、保護ブロック２０が設けられている。保護ブロック２０は、面取りされた角部を有しており、それにより、遠隔操作機がもしも上下反対の状態で横になって置かれていれば、横になって置かれている遠隔操作機が転がる手段をもたらす。そして、矩形支持部１８の後ろ側端２１から上方に延びる一対の互いに対向している立ち上がり部材２２が設けられている。一対の互いに対向している立ち上がり部材２２及び保護ブロック２０は、遠隔操作機が上下反対の状態又は遠隔操作機が枕などの下に挟まっている状態であって視聴者が枕などの上に座ったときであればいつでも押されてしまった場合に、キーパッドのボタンが偶然に押されることを防止している。
【図１】
0003199552.tif 000003
【図２】
0003199552.tif 000004
【図３】
0003199552.tif 000005